(57)【特許請求の範囲】
【請求項１】
壁の開口に設けられる矩形状の扉枠と、当該扉枠に開閉可能に設けられた扉と、を備え、
前記扉枠は、略水平に延びる沓摺りおよび上枠と、当該沓摺りと当該上枠とを連結して略鉛直方向に延びる一対の縦枠と、を備え、
前記沓摺りは、前記開口の下辺縁に水平方向および鉛直方向に移動可能に支持され、
前記開口の下辺縁には、上方に突出するピンを有しかつ前記扉枠の沓摺りを支持する受け部材が設けられ、
前記沓摺りの下面には、前記受け部材のピンが挿通されてかつ当該沓摺りの長さ方向に延びるルーズ穴が形成されることを特徴とする扉構造。
【請求項２】
前記扉枠の上枠は、前記開口の上辺縁に回転可能に支持されることを特徴とする請求項１に記載の扉構造。
【請求項３】
前記扉枠の上枠には、鉛直方向に延びるルーズ穴が形成されたプレートが取り付けられ、
前記開口の上辺縁の近傍には、当該プレートのルーズ穴に挿通されるピンが設けられることを特徴とする請求項２に記載の扉構造。
【発明の詳細な説明】
【技術分野】
【０００１】
本発明は、扉構造に関する。
【背景技術】
【０００２】
従来より、壁躯体の下部の床面付近に水平方向の構造スリットが形成されており、さらにこの壁躯体に扉が取り付けられる場合がある。
この構造スリットは、地震時に、構造スリットの上側の躯体（以下、上部躯体と呼ぶ）が構造スリットの下側の部分（以下、下部躯体と呼ぶ）に対して水平移動し、地震時の挙動に追従するものである。
【０００３】
ところで、地震時には建物に層間変位が生じるが、上述の壁躯体の最大層間変位角は１／１００程度に設定されることが多い。
これに対し、扉および扉枠の最大面内変形角は、ＪＩＳＡ４７０２で変形角１／１２０のドアが規定されており、多くの建具メーカーは、この規定に従って、１／１２０を上弦として設計している。つまり、地震により上部躯体と下部躯体とが水平方向に相対変位し、この相対変位に伴って扉枠が変形しても、扉枠の変形角が１／１２０までであれば、扉が開放可能となっている。
また、耐震ストライクや耐震丁番といった、扉と扉枠との上下方向にプラスマイナス１０ｍｍ程度のずれを許容する構造が提案されている。
【０００４】
以上の扉および扉枠の構造では、以下のような問題がある。
例えば、図１５（ａ）に示すように、壁躯体１０１に水平方向の構造スリット１０２が形成されており、構造スリット１０２よりも下側の躯体を下部躯体１０３とし、構造スリット１０２よりも上側の躯体を上部躯体１０４とする。
この壁躯体１０１に扉枠１１０および扉１１１が取り付けられている。ここで、床面１０５から梁下１０６までの高さを４０００ｍｍとし、床面１０５から扉枠１１０の上端までの高さを２０００ｍｍとする。
【０００５】
地震により、図１５（ｂ）に示すように、上部躯体１０４が下部躯体１０３に対して水平方向右側に変位し、壁躯体１０１の変位角が１／２４０になった場合、扉の変形角は１／１２０であり、許容できる最大の変形角となっている。
その後、壁躯体１０１の変位角が最大層間変位角である１／１００に達すると、扉枠１１０および扉１１１の変形角は１／５０となり、許容値である１／１２０を大きく超えて破損し、扉１１１を開放できなくなるおそれがある。
【０００６】
また、従来の耐震ストライクや耐震丁番は、扉と扉枠とが上下方向にプラスマイナス１０ｍｍ程度ずれるのを許容する構造であるので、１／５０の変形角には追従できない。
仮に、耐震ストライクや耐震丁番が扉と扉枠との１０ｍｍ以上のずれに対応する場合であっても、扉と枠のクリアランスを非常に大きくする必要があり、気密性や水密性などの性能を確保することが困難となるので、使い勝手が悪いという問題がある。
【０００７】
このような問題を解決するため、例えば、第１のドアの内側に第２のドアを設けた耐震ドアが提案されている（特許文献１参照）。
このような耐震ドアによれば、地震時の躯体の変形により、第１のドアが大きく歪んだり、枠が破壊されたりして開放不能になっても、第２のドアを開放して通行可能である。
【先行技術文献】
【特許文献】
【０００８】
【特許文献１】特開２００４−０６８２５４号公報
【発明の概要】
【発明が解決しようとする課題】
【０００９】
しかしながら、以上のような耐震ドアでは、以下のような問題がある。
すなわち、第２のドアは、第１のドアに比べて、高さ寸法および幅寸法が小さくなっているので、通行者が通行しづらく、不特定多数の避難には向いていない。
このような耐震ドアは、避難上の使い勝手が良くない、という問題があった。
【００１０】
本発明は、使い勝手の低下を防止しつつ、地震時の層間変位に追従して扉を開閉できる扉構造を提供することを目的とする。
【課題を解決するための手段】
【００１１】
請求項１に記載の扉構造（例えば、後述の扉構造１、１Ａ、１Ｂ、１Ｃ）は、壁（例えば、後述の壁２）の開口（例えば、後述の開口１０）に設けられる矩形状の扉枠（例えば、後述の扉枠２０）と、当該扉枠に開閉可能に設けられた扉（例えば、後述の扉３０）と、を備え、前記扉枠は、略水平に延びる沓摺り（例えば、後述の沓摺り２１）および上枠（例えば、後述の上枠２２）と、当該沓摺りと当該上枠とを連結して略鉛直方向に延びる一対の縦枠（例えば、後述の縦枠２３Ａ、２３Ｂ）と、を備え、前記沓摺りは、前記開口の下辺縁（例えば、後述の切欠き部１１）に水平方向および鉛直方向に移動可能に支持されることを特徴とする。
【００１２】
この発明によれば、沓摺りを、開口の下辺縁に水平方向および鉛直方向に移動可能に支持させた。よって、地震時に、建物の層間変位により壁が変位しても、扉枠の下端が扉とともに水平方向にスライドするので、この層間変位に追従できる。
また、従来のように小さな扉を設ける必要はないうえに、従来の耐震ストライクや耐震丁番に比べて気密性や水密性を確保できるので、使い勝手が低下することもない。
【００１３】
請求項１に記載の扉構造は、前記開口の下辺縁には、上方に突出するピン（例えば、後述のダボピン５１）を有しかつ前記扉枠の沓摺りを支持する受け部材（例えば、後述の受け部材５３）が設けられ、前記沓摺りの下面には、前記受け部材のピンが挿通されてかつ当該沓摺りの長さ方向に延びるルーズ穴（例えば、後述のルーズ穴５２）が形成されることを特徴とする。
【００１４】
この発明によれば、沓摺りの下面に、受け部材のピンが挿通されてかつ沓摺りの長さ方向に延びるルーズ穴を形成した。よって、簡易な構造で、壁の開口の下辺縁に対して沓摺りを容易に水平方向および鉛直方向に移動させることができる。
【００１５】
請求項２に記載の扉構造は、前記扉枠の上枠は、前記開口の上辺縁（例えば、後述の上辺縁１２）に回転可能に支持されることを特徴とする。
【００１６】
この発明によれば、扉枠の上枠を、壁に設けた開口の上辺縁に回転可能に支持させた。よって、地震時に、建物の層間変位により壁が変位しても、扉枠が扉とともに時計回りあるいは反時計回りに回転するので、この層間変位に追従できる。
【００１７】
請求項３に記載の扉構造は、前記扉枠の上枠には、鉛直方向に延びるルーズ穴（例えば、後述のルーズ穴４１）が形成されたプレート（例えば、後述のプレート４２）が取り付けられ、前記開口の上辺縁の近傍には、当該プレートのルーズ穴に挿通されるピン（例えば、後述のピン４３）が設けられることを特徴とする。
【００１８】
この発明によれば、扉枠の上枠に、鉛直方向に延びるルーズ穴が形成されたプレートを取り付けるとともに、開口の上辺縁の近傍に、プレートのルーズ穴に挿通されるピンを設けた。よって、簡易な構造で、壁の開口の上辺縁に対して上枠を容易に回転移動させることができる。
【発明の効果】
【００１９】
本発明によれば、沓摺りを、開口の下辺縁に水平方向および鉛直方向に移動可能に支持させた。よって、地震時に、建物の層間変位により壁が変位しても、扉枠の下端が扉とともに水平方向にスライドするので、この層間変位に追従できる。また、従来のように扉の大きさを小さくする必要はないので、使い勝手が低下することもない。
【図面の簡単な説明】
【００２０】
【図１】本発明の第１実施形態に係る扉構造の正面図および縦断面図である。
【図２】図１のＡ−Ａ断面図である。
【図３】図２のＢ−Ｂ断面図である。
【図４】前記実施形態に係る扉構造の地震時の動作を説明するための図（その１）である。
【図５】前記実施形態に係る扉構造の地震時の動作を説明するための図（その２）である。
【図６】前記実施形態に係る扉構造の地震時の動作を説明するための図（その３）である。
【図７】本発明の第２実施形態に係る扉構造の沓摺りの断面図である。
【図８】本発明の第３実施形態に係る扉構造の沓摺りの断面図である。
【図９】本発明の第４実施形態に係る扉構造の沓摺りの断面図である。
【図１０】図９のＣ−Ｃ断面図である。
【図１１】本発明の第５実施形態に係る扉構造の沓摺りの断面図である。
【図１２】図１１のＤ−Ｄ断面図である。
【図１３】本発明の第６実施形態に係る扉構造の沓摺りの断面図である。
【図１４】図１３のＥ−Ｅ断面図である。
【図１５】本発明の従来例に係る扉構造の地震時の動作を説明するための図である。
【発明を実施するための形態】
【００２１】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る扉構造１の正面図（屋外側から視た図）および縦断面図である。
【００２２】
扉構造１は、屋内と屋外とを仕切る鉄筋コンクリート造の壁２の開口１０に設けられ、屋内側床面３と、この屋内側床面３よりも低い屋外側床面４と、の間で往来可能とするものである。
屋内側床面３と屋外側床面４との境界部分は、切り欠かれて切欠き部１１が形成されている。
開口１０は矩形状であり、下辺縁となる切欠き部１１、上辺縁１２、側辺縁１３Ａ、１３Ｂ、で構成される。
【００２３】
扉構造１は、開口１０に設けられる矩形状の扉枠２０と、この扉枠に開閉可能に設けられた扉３０（図３参照）と、を備える。
扉枠２０は、略水平に延びる沓摺り２１および上枠２２と、これら沓摺り２１と上枠２２とを連結して略鉛直方向に延びる一対の縦枠２３Ａ、２３Ｂと、を備える。
上枠２２は、一対のファスナ機構４０を介して開口１０の上辺縁１２に固定され、沓摺り２１は、開口１０の切欠き部１１に一対のダボピン機構５０を介して固定されている。
【００２４】
壁２の下端側には、床面３、４に沿って略水平に延びて開口１０を通る構造スリットとしての横スリット５が設けられている。以下、壁２のうち横スリット５よりも下側の部分を、下部躯体２Ａとし、横スリット５よりも上側の部分を、上部躯体２Ｂとする。すると、上部躯体２Ｂは、下部躯体２Ａに対して水平方向に相対移動可能となっている。
この横スリット５は、壁２の下端側に設けられて略水平に延びる第１スリット５Ａと、沓摺り２１と切欠き部１１との間を略水平に延びる第２スリット５Ｂと、で構成される。
【００２５】
また、壁２の上部躯体２Ｂには、鉛直方向に延びて開口１０の図１中左側の端縁に至る構造スリットとしての縦スリット６が設けられており、これにより、上部躯体２Ｂのうち縦スリット６を挟んで図１中左右の部分は、鉛直方向に相対移動可能となっている。
【００２６】
壁２の開口１０の上辺縁１２の屋内側には、切欠き部１７が形成されている。
一対のファスナ機構４０は、この切欠き部１７の両端側つまり上枠２２の両端側に設けられている。
各ファスナ機構４０は、上枠２２に設けられて鉛直方向に延びるルーズ穴４１が形成されたプレート４２と、上部躯体２Ｂのうち上辺縁１２の近傍に設けられてプレート４２のルーズ穴４１に挿通されるピン４３と、を備える。
これら一対のファスナ機構４０により、上枠２２は、上部躯体２Ｂに対して回転可能に支持されていることになる。
【００２７】
縦枠２３Ａ、２３Ｂは、沓摺り２１と上枠２２とを連結しているが、上部躯体２Ｂには固定されていない状態である。
【００２８】
図２は、図１のＡ−Ａ断面図である。図３は、図２のＢ−Ｂ断面図である。
一対のダボピン機構５０は、開口１０の切欠き部１１の両端側つまり沓摺り２１の両端側に設けられている（図１参照）。
各ダボピン機構５０は、切欠き部１１に設けられて上方に突出するダボピン５１と、沓摺り２１に沓摺り２１の長さ方向に設けられてダボピン５１が挿通されるルーズ穴５２と、を備える。
【００２９】
具体的には、切欠き部１１の底面には、略水平に延びて沓摺り２１と同程度の長さの長尺状の受け部材５３が固定されており、沓摺り２１は、この受け部材５３の上にスライド可能に支持されている。
この受け部材５３は、平板状の支持部５４と、この支持部５４の一部の端縁に立設された壁部５５と、を備える。
【００３０】
支持部５４の上面には、塩化ビニルシート５６が敷設されて、この塩化ビニルシート５６の上面は、円滑な平面となっている。なお、本実施形態では、塩化ビニルシート５６を用いたが、これに限らず、沓摺り２１と支持部５４との摩擦抵抗を軽減する素材であれば、何でもよい。
また、この支持部５４の下面には、所定間隔おきにリブ５７が設けられており、このリブ５７は溶接用アンカー１４に溶接固定されている。
【００３１】
この支持部５４には、ボルト６０が螺合しており、これにより、ボルト６０の頭部６１は、支持部５４の下面に係止し、ボルト６０の首部６２は、支持部５４の上面から上方に突出している。このボルト６０の首部６２には、塩化ビニルパイプ６３が被せられている。なお、本実施形態では、塩化ビニルパイプ６３を用いたが、これに限らず、ボルト６０の首部６２とルーズ穴５２との摩擦抵抗を軽減する素材であれば、何でもよい。
【００３２】
ボルト６０の塩化ビニルパイプ６３が被せられた首部６２は、上述のダボピン５１として機能する。
壁部５５は、屋外側から視て、支持部５４の両側の端縁および奥側の端縁に設けられている。沓摺り２１と壁部５５との間には、所定の隙間が設けられている。
【００３３】
沓摺り２１は、断面視で略矩形枠状であり、上述のルーズ穴５２は、この沓摺り２１の底板２４に形成されている。なお、この沓摺り２１は、断面視で略矩形枠状に限らず、その他の形状であってもよい。
この沓摺り２１は、支持部５４の塩化ビニルシート５６の上に載置されるとともに、支持部５４のダボピン５１が沓摺り２１のルーズ穴５２に挿通される。
【００３４】
沓摺り２１は、受け部材５３のダボピン５１がルーズ穴５２内を移動することにより、沓摺り２１の長さ方向に沿って水平方向に移動可能である。また、沓摺り２１は、受け部材５３のダボピン５１がルーズ穴５２から挿抜されることにより、鉛直方向に移動可能である。
このように、沓摺り２１は、開口１０の切欠き部１１に水平方向および鉛直方向に移動可能に支持されている。
【００３５】
受け部材５３と切欠き部１１との間の隙間には、モルタルが詰められて、トロ詰め部１５が形成されている。また、受け部材５３と切欠き部１１との隙間のうち、屋外側に面する部分には、二重シーリング１６が打設されている。なお、受け部材５３と切欠き部１１との隙間の屋外側に面する部分には、二重シーリング１６に限らず、一重のシーリングでもよい。
【００３６】
また、沓摺り２１が受け部材５３の上に載置された状態で、沓摺り２１と壁部５５との間には、シーリング２５が打設され、沓摺り２１と支持部５４との間には、モルタルの浸入を防ぐための捨てシーリング２６が打設されている。
また、沓摺り２１と受け部材５３とは、仮止めビス５８で仮固定可能となっている。
【００３７】
以上の扉構造１の地震時の動作は、以下のようになる。
まず、初期状態では、図４（ａ）に示すように、扉枠２０の上枠２２、縦枠２３Ａ、２３Ｂ、および沓摺り２１は、矩形枠状となっている。上枠２２の両端側は、ファスナ機構４０を介して開口１０の上辺縁に固定され、沓摺り２１の両端側は、開口１０の下端に一対のダボピン機構５０を介して固定されている。また、縦枠２３Ａ、２３Ｂは、開口１０に固定されていない。
【００３８】
まず、フェーズ１では、図４（ｂ）に示すように、地震により上部躯体２Ｂが下部躯体２Ａに対して面内で水平方向に変位すると、扉枠２０の沓摺り２１が受け部材５３上を摺動して、ダボピン５１がルーズ穴５２内で水平方向にスライドする。このとき、沓摺り２１の受け部材５３に対する移動に伴って、シーリング２５が変形する。
なお、この段階では、扉枠２０は変形していない。
【００３９】
例えば、床面から梁下までの高さを４０００ｍｍとし、床面から扉枠２０の上端までの高さを２０００ｍｍとし、層間変位角１／１００つまり変位４０ｍｍと想定する。すなわち、上部躯体２Ｂが下部躯体２Ａに対して４０ｍｍ水平方向に変位する場合を想定する。
この場合、ルーズ穴５２におけるダボピン５１の可動範囲を左右に１０ｍｍずつとすると、扉枠２０は、図４（ｂ）中右方向に１０ｍｍ水平方向に移動する。これにより、沓摺り２１および上枠２２の両方が、元の位置から１０ｍｍだけ水平方向に移動することになる。
【００４０】
その後、フェーズ２では、図４（ｃ）に示すように、上部躯体２Ｂが下部躯体２Ａに対して面内で水平方向にさらに変位すると、一対のファスナ機構４０に上枠２２が引っ張られるので、扉枠２０が平行四辺形状に変形し、扉枠２０は扉３０に接触する。これにより、扉枠２０はこれ以上変形しなくなる。
【００４１】
例えば、扉枠２０は、最大許容値である１／１２０まで平行四辺形状に変形する。つまり、扉枠２０の上枠２２がさらに図４（ｃ）中右方向に１６ｍｍ水平方向に移動し、扉の変形角は１／１２０となる。
【００４２】
その後、フェーズ３では、図５に示すように、上部躯体２Ｂが下部躯体２Ａに対して面内で水平方向にさらに変位すると、扉枠２０は扉３０とともに図４中時計回りに回転(以降、ロッキングと呼ぶ)する。
【００４３】
すなわち、図５中右下のダボピン機構５０のダボピン５１を回転中心として、時計回りに回転する。
このとき、図５中左下のダボピン機構５０では、ダボピン５１が沓摺り２１のルーズ穴５２から抜けている。また、図５中左上のファスナ機構４０では、ピン４３は、プレート４２のルーズ穴４１内を下方に相対移動し、図５中右上のファスナ機構４０では、ピン４３は、プレート４２のルーズ穴４１内を上方に相対移動する。
【００４４】
例えば、ロッキングにより、扉枠２０は、さらに図５中右方向に１４ｍｍ水平方向に移動し、これにより、元の位置から水平方向に合計４０ｍｍ移動したことになる。
以上より、建物の層間変位が１／１００となっても、扉枠２０の変形角は１／１２０で済むことが判る。
【００４５】
このように、本発明は、日常的に発生するような小地震では、壁２の変位が小さいため、扉枠２０をロッキングではなくスライドさせることで、この変位を吸収する。なお、これに限らず、ロッキングのみで変位を吸収してもよい。
また、スライド量を大きくして、ロッキング量を小さくしたり、スライド量を小さくして、ロッキング量を大きくしたりできる。また、スライドのみまたはロッキングのみ、と必要に応じて別々に使用することもできる。なお、ロッキングのみの場合、ルーズ穴５２を長孔にしなくてもよい。
【００４６】
一方、地震により上部躯体２Ｂが下部躯体２Ａに対して面外方向に変位すると、図６に示すように、ダボピン機構５０ではダボピン５１を中心として回転するとともに、ファスナ機構４０ではプレート４２が湾曲する。
【００４７】
上述の扉構造１の扉枠２０を壁２の開口１０に取り付ける手順は、以下のようになる。
まず、ドアセット製作工場にて、沓摺り２１、上枠２２、および縦枠２３Ａ、２３Ｂを矩形枠状に一体に製作するとともに、プレート４２を上枠２２に溶接固定しておく。
また、仮止めビス５８で沓摺り２１を受け部材５３に仮固定する。このとき、沓摺り２１と受け部材５３の壁部５５との隙間には、モルタルの浸入を防ぐために養生用スポンジをはめ込んでおく。また、沓摺り２１と支持部５４との間に、捨てシーリング２６を打設しておく。
この状態で施工現場に搬入する。
【００４８】
一方、施工現場では、あと施工アンカーにより、壁２の開口１０の切欠き部１１に溶接用アンカー１４を打ち込むとともに、壁２の上部躯体２Ｂにピン４３を打ち込んでおく。
【００４９】
次に、扉枠２０を開口１０に建て込む。具体的には、上枠２２に固定したプレート４２のルーズ穴４１にピン４３を挿通するとともに、断面三角形状の楔を数種類用いて、扉枠２０の床面３、４からの高さや水平方向の位置を調整する。
【００５０】
扉枠２０の高さと水平方向の位置の調整が完了したら、受け部材５３のリブ５７を切欠き部１１の溶接用アンカー１４に溶接して固定する。
その後、受け部材５３と切欠き部１１との隙間にモルタルを詰めてトロ詰め部１５を形成する。
【００５１】
次に、養生用スポンジを撤去してシーリング２５を打設し、仮止めビス５８を取り外す。これにより、沓摺り２１が受け部材５３に対してスライド可能となる。
【００５２】
本実施形態によれば、以下のような効果がある。
【００５３】
（１）沓摺り２１を、開口１０の切欠き部１１に水平方向および鉛直方向に移動可能に支持させた。よって、地震時に建物の層間変位により壁２が変位しても、扉枠２０の下端の沓摺り２１が扉３０とともに水平方向にスライドするので、層間変位に追従できる。
また、従来のように小さな扉を設ける必要はないうえに、従来の耐震ストライクや耐震丁番に比べて気密性や水密性を確保できるので、使い勝手が低下することもない。
【００５４】
（２）沓摺り２１の下面に、受け部材５３のダボピン５１が挿通されてかつ沓摺り２１の長さ方向に延びるルーズ穴５２を形成した。よって、簡易な構造で、壁２の開口１０の切欠き部１１に対して、沓摺り２１を容易に水平方向および鉛直方向に移動させることができる。
【００５５】
（３）扉枠２０の上枠２２を、壁２に設けた開口１０の上辺縁１２に回転可能に支持させた。よって、地震時に建物の層間変位により壁２が変位しても、扉枠２０が扉３０とともに時計回りに回転するので、この層間変位に追従できる。
【００５６】
（４）扉枠２０の上枠２２に、鉛直方向に延びるルーズ穴４１が形成されたプレート４２を取り付けるとともに、開口１０の上辺縁１２の近傍に、プレート４２のルーズ穴４１に挿通されるピン４３を設けた。よって、簡易な構造で、壁２の開口１０の上辺縁１２に対して上枠２２を容易に回転移動させることができる。
【００５７】
〔第２実施形態〕
図７は、本発明の第２実施形態に係る扉構造１Ａの沓摺り２１の断面図である。
本実施形態では、扉構造１Ａをバリアフリー対応の建物の外壁に設けた点が第１実施形態と異なる。
【００５８】
すなわち、建物がバリアフリー対応であり、屋内側床面３と屋外側床面４との段差が小さくなっている。
受け部材５３の壁部５５は、支持部５４の端縁の全周に亘って立設されている。したがって、シーリング２５は、沓摺り２１の周囲に全周に亘って打設されている。
本実施形態によれば、上述の（１）〜（４）と同様の効果がある。
【００５９】
〔第３実施形態〕
図８は、本発明の第３実施形態に係る扉構造１Ｂの沓摺り２１の断面図である。
本実施形態では、扉構造１Ｂを建物の屋内の壁に設けた点が第１実施形態と異なる。
【００６０】
すなわち、屋内の壁２は、屋内側床面３同士を仕切っている。この場合、壁部５５は、支持部５４の端縁の全周に亘って立設されている。したがって、シーリング２５は、沓摺り２１の周囲に全周に亘って打設されている。
本実施形態によれば、上述の（１）〜（４）と同様の効果がある。
【００６１】
〔第４実施形態〕
図９は、本発明の第４実施形態に係る扉構造１Ｃの沓摺り２１の断面図である。図１０は、図９のＣ−Ｃ断面図である。
本実施形態では、受け部材５３の構成が第１実施形態と異なる。
【００６２】
すなわち、受け部材５３は、ダボピン５１の近傍の２箇所に配置されている。また、受け部材５３の壁部５５は、屋外側から視て、支持部５４の奥側の端縁にのみ設けられており、沓摺り２１と壁部５５との間には、ほとんど隙間が設けられていない。
沓摺り２１の底板２４には、ルーズ穴５２ではなく円形の貫通孔５９が設けられている。以上より、沓摺り２１は、受け部材５３に対して水平移動せず、ロッキングのみで層間変位に対応する。
本実施形態によれば、上述の（３）、（４）と同様の効果がある。
【００６３】
〔第５実施形態〕
図１１は、本発明の第５実施形態に係る扉構造１Ｄの沓摺り２１の断面図である。図１２は、図１１のＤ−Ｄ断面図である。
本実施形態では、ダボピン機構５０の代わりに、スライダ７０が設けられる点が、第１実施形態と異なる。
【００６４】
すなわち、スライダ７０は、切欠き部１１に設けられて、沓摺り２１の長さ方向に沿って延びる長尺状である。受け部材５３の屋外側の端部は、上方に突出しており、この突出した部分がスライダ７０となっている。
【００６５】
また、沓摺り２１の底板２４には、凹部７１が形成されて、スライダ７０は、この凹部７１に嵌合している。また、スライダ７０の長さ方向の端面と、凹部７１の長さ方向の内壁面との間の隙間は、寸法ｔとなっている。
【００６６】
沓摺り２１は、受け部材５３のスライダ７０が凹部７１内を移動することにより、沓摺り２１の長さ方向に沿って水平方向に寸法ｔの範囲で移動可能である。また、沓摺り２１は、受け部材５３のスライダ７０が凹部７１から挿抜されることにより、鉛直方向に移動可能である。
このように、沓摺り２１は、開口１０の切欠き部１１に水平方向および鉛直方向に移動可能に支持されている。
本実施形態によれば、上述の（１）、（３）、（４）と同様の効果がある。
【００６７】
〔第６実施形態〕
図１３は、本発明の第６実施形態に係る扉構造１Ｅの沓摺り２１の断面図である。図１４は、図１３のＥ−Ｅ断面図である。
本実施形態では、スライダ７０Ｅおよび凹部７１Ｅの構造が、第５実施形態と異なる。
すなわち、本実施形態では、凹部７１Ｅは、沓摺り２１の屋外側の端部の裏面となっている。また、受け部材５３は、屋外側に向かって延出しており、この延出した部分がスライダ７０Ｅとなっている。
【００６８】
また、第１実施形態と同様に、支持部５４には、ボルト６０が螺合しており、これにより、ボルト６０の頭部６１は、支持部５４の下面に係止し、ボルト６０の首部６２は、支持部５４の上面から上方に突出している。このボルト６０の首部６２には、塩化ビニルパイプ６３が被せられている。
【００６９】
この塩化ビニルパイプ６３の側面には、沓摺り２１の底板２４が当接しており、これにより、ボルト６０は、沓摺り２１が面外方向に移動するのを防止するストッパとしての機能を果たしている。
【００７０】
本実施形態によれば、上述の（１）、（３）、（４）の効果に加えて、以下のような効果がある。
（５）沓摺り２１の屋外側の端部の裏面を凹部７１Ｅとしたので、沓摺り２１に荷重がかかっても、この荷重をスライダ７０Ｅで支持できる。
【００７１】
なお、本発明は前記実施形態に限定されるものではなく、本発明の目的を達成できる範囲での変形、改良等は本発明に含まれるものである。
例えば、上述の第１〜第４実施形態では、ダボピン機構５０を開口１０の切欠き部１１の両端側に設けたが、これに限らず、ダボピン機構５０を切欠き部１１のどの位置に設けてもよい。
【００７２】
また、上述の第１〜第４実施形態では、ダボピン機構５０を一対設けたが、これに限らず、ダボピン機構５０を３つ以上設けてもよい。つまり、沓摺り２１にかかる荷重が小さい場合には、ダボピン機構５０は一対でよいし、沓摺り２１にかかる荷重が大きい場合には、ダボピン機構５０を３つ以上とすればよい。
【００７３】
また、上述の各実施形態では、ファスナ機構４０を設けたが、これに限らない。すなわち、ロッキングではなくスライドのみで壁２の変位を吸収する場合には、ファスナ機構４０の代わりに開口１０の上辺縁１２に溶接用アンカーを打ち込んで、上枠２２をこの溶接用アンカーに溶接固定してもよい。
【００７４】
また、上述の各実施形態では、壁２の開口１０の上辺縁１２の屋内側に切欠き部１７を形成して、この切欠き部１７に一対のファスナ機構４０を設けたが、これに限らない。例えば、切欠き部１７を形成することなく、開口１０の上辺縁１２の屋内側に、直接、一対のファスナ機構４０を設けてもよい。
【符号の説明】
【００７５】
１、１Ａ、１Ｂ、１Ｃ、１Ｄ、１Ｅ…扉構造
２…壁
２Ａ…下部躯体
２Ｂ…上部躯体
３…屋内側床面
４…屋外側床面
５…横スリット
５Ａ…第１スリット
５Ｂ…第２スリット
６…縦スリット
１０…開口
１１…切欠き部
１２…上辺縁
１３Ａ、１３Ｂ…側辺縁
１４…溶接用アンカー
１５…トロ詰め部
１６…二重シーリング
１７…切欠き部
２０…扉枠
２１…沓摺り
２２…上枠
２３Ａ、２３Ｂ…縦枠
２４…底板
２５…捨てシーリング
２６…シーリング
３０…扉
４０…ファスナ機構
４１…ルーズ穴
４２…プレート
４３…ピン
５０…ダボピン機構
５１…ダボピン
５２…ルーズ穴
５３…受け部材
５４…支持部
５５…壁部
５６…塩化ビニルシート
５７…リブ
５８…仮止めビス
５９…貫通孔
６０…ボルト
６１…頭部
６２…首部
６３…塩化ビニルパイプ
７０、７０Ｅ…スライダ
７１、７１Ｅ…凹部
【図１】
0006358654.tif 000002
【図２】
0006358654.tif 000003
【図３】
0006358654.tif 000004
【図４】
0006358654.tif 000005
【図５】
0006358654.tif 000006
【図６】
0006358654.tif 000007
【図７】
0006358654.tif 000008
【図８】
0006358654.tif 000009
【図９】
0006358654.tif 000010
【図１０】
0006358654.tif 000011
【図１１】
0006358654.tif 000012
【図１２】
0006358654.tif 000013
【図１３】
0006358654.tif 000014
【図１４】
0006358654.tif 000015
【図１５】
0006358654.tif 000016